(57)【要約】      （修正有）【課題】自由歩行の不自由な被介護人がベッド等の座接位置から容易に移乗出来、希望する場所に安全に、円滑に、容易に移動出来る介護用移乗移動具を提供する。【解決手段】被介護人はベッド等の座接位置から開口自在な座接用サイドフレーム９のクッション板１０上に安定座接出来、ガイド柱体４と摺動柱体５により背丈に対応した位置でクッション板１０上に安定座接出来、背当て用構造体１２により背面を安定保持され、タイヤ１１やキャスター１１ａにより円滑移動出来、かつタイヤロック機構部によりタイヤロックを確実に行う事が出来る。また、ガイド柱体４の下端を固定し、ガイド柱体を下部フレームに枢支する挟持機構部１により安全，確実に座接状態が保持される。【選択図】図１
0003211189.tif 000002
【実用新案登録請求の範囲】
【請求項１】
自由歩行が不自由な被介護人を例えばベッドから自分の希望する場所に、安全に、かつ円滑，容易に移乗及び移動出来る移乗移動具であって、該移乗移動具は、キャスターを隅部に配置する横長な左右の下部フレームと、該下部フレームの略中間位置から立ち上がるガイド柱体と、これに摺動自在に保持される摺動柱体と、前記ガイド柱体の上部に配置され左右の前記ガイド柱体を連結する上部フレームと、該上部フレームに配置され前記摺動柱体を上下動すると共に露出部に大きさの異なる段付きの複数カラを連結してなる伸縮自由なカバーを設ける摺動柱体上下動具と、前記摺動柱体に基端側を回動可能に、かつ取り外し可能に連結され前記被介護人を座接可能に支持するクッション板を有する座接用サイドフレームと、前記ガイド柱体に取り外し可能に枢支され地表面に沿って回転するタイヤと、前記座接用サイドフレームの後端側に取り外し可能に支持され前記被介護人の背面を保持する背当て板を有する背当て用構造体と、その下端部を前記タイヤの枢支軸に固定され上方に向かってやや傾斜して配置されその上部側に前記タイヤのロック機構部を有するタイヤロック機構部と、前記下部フレームと前記ガイド柱体の下部にこれ等を挟持して配置されると共に前記ガイド柱体の下端を固定し前記ガイド柱体を下部フレームに枢支する挟持機構部とを有し、前記挟持機構部は前記下部フレームに移動可能に固定されるロック板に挿脱可能に保持されるタング状板部を有するものからなり、前記ロック板の前記タング状板部の挿脱される部位には前記ガイド柱体の回動を容易にするための傾斜面が形成され、前記のタイヤロック機構部は前記ガイド柱体にスライド可能に支持されると共に下端側を前記タイヤの枢支軸に固定して傾斜向きに立ち上がる立上がり部材を有するものからなり、このタイヤのロック機構部は前記立上がり部材に前記タイヤに直接圧接する部分を有する単一の動作で動作するハンドルが形成されるものからなることを特徴とする介護用移乗移動具。
【考案の詳細な説明】
【技術分野】
【０００１】  本考案は、自由歩行が不自由な被介護人が自力で例えばベッド上から移乗出来、希望する場所まで安全，円滑，容易に移動出来、各部材が分解出来、１つの箱体に収納可能に形成される介護用移乗移動具に関する。
【背景技術】
【０００２】  自由歩行が不自由な被介護人を希望する場所まで移動出来るように形成されている移動具としては各種のものが存在している。しかしながら、例えばベッドに常時横架している被介護人が自力で、容易に移乗出来、かつ希望する場所まで安全，円滑，容易に移動出来、折り畳み可能で箱体内に収納出来、使用時には被介護人を安全に保持出来る移乗移動具は本出願人の調査では見当らない。
【考案の概要】
【考案が解決しようとする課題】
【０００３】  自由歩行が不自由な被介護人としては例えばベッドから容易に移乗出来、希望する場所まで安全，円滑，容易に移動出来る移乗移動具を期待するが実際上その希望を満足するものは見当らない。また、不使用時には分解可能で１つの箱体内に収納出来るものは見当らない。
本考案は、以上の被介護人の希望を十分に満足出来るように創案されたものであり、後に詳述するように従来では見当らない介護用移乗移動具を提供する事を目的とするものである。
【課題を解決するための手段】
【０００４】  本考案は、以上の目的を達成するために、請求項１の考案は、自由歩行が不自由な被介護人を例えばベッドから自分の希望する場所に、安全に、かつ円滑，容易に移乗及び移動出来る移乗移動具であって、該移乗移動具は、キャスターを隅部に配置する横長な左右の下部フレームと、該下部フレームの略中間位置から立ち上がるガイド柱体と、これに摺動自在に保持される摺動柱体と、前記ガイド柱体の上部に配置され左右の前記ガイド柱体を連結する上部フレームと、該上部フレームに配置され前記摺動柱体を上下動すると共に露出部に大きさの異なる段付きの複数カラを連結してなる伸縮自由なカバーを設ける摺動柱体上下動具と、前記摺動柱体に基端側を回動可能に、かつ取り外し可能に連結され前記被介護人を座接可能に支持するクッション板を有する座接用サイドフレームと、前記ガイド柱体に取り外し可能に枢支され地表面に沿って回転するタイヤと、前記座接用サイドフレームの後端側に取り外し可能に支持され前記被介護人の背面を保持する背当て板を有する背当て用構造体と、その下端部を前記タイヤの枢支軸に固定され上方に向かってやや傾斜して配置されその上部側に前記タイヤのロック機構部を有するタイヤロック機構部と、前記下部フレームと前記ガイド柱体の下部にこれ等を挟持して配置されると共に前記ガイド柱体の下端を固定し前記ガイド柱体を下部フレームに枢支する挟持機構部とを有し、前記挟持機構部は前記下部フレームに移動可能に固定されるロック板に挿脱可能に保持されるタング状板部を有するものからなり、前記ロック板の前記タング状板部の挿脱される部位には前記ガイド柱体の回動を容易にするための傾斜面が形成され、前記のタイヤロック機構部は前記ガイド柱体にスライド可能に支持されると共に下端側を前記タイヤの枢支軸に固定して傾斜向きに立ち上がる立上がり部材を有するものからなり、このタイヤのロック機構部は前記立上がり部材に前記タイヤに直接圧接する部分を有する単一の動作で動作するハンドルが形成されるものからなり、前記摺動柱体上下動具に設けられている前記カバーの詳細構造は同時に出願するＫＡＷＡＳ２９Ｕ０２に明記されることを特徴とする。
【考案の効果】
【０００５】  本考案の介護用移乗移動具によれば、各種の特徴を有するものであり、まずベッド上に座接している被介護人が容易に移乗出来る回動可能なクッション板を有する座接用サイドフレームを有すると共に座接した被介護人は背当て用構造体により背面を安定的に保持されると共に体形に対応した位置にクッション板を配置出来る特徴を有している。また、移動はキャスターやタイヤによって円滑に出来ると共にタイヤロック機構部により、目的地において確実に固定保持される。また、使用時にはガイド柱体は挟持機構部により下部フレームに強固に保持されると共に、分解時にはガイド柱体等を水平位置に容易に、かつ確実に移動して箱体内に収納することが出来る効果を上げることが出来る。
また、タイヤロック機構部は構造簡単でワンタッチで動作出来、摺動柱体を上下動する上下動具はその露出部が伸縮自由のカバーによって覆われており外観美の向上が図れる。
【図面の簡単な説明】
【０００６】
【図１】  本考案の介護用移乗移動具の全体構造を示す斜視図。
【図２】  図１の正面図。
【図３】  図１の左側面図。
【図４】  摺動柱体上下動具の伸縮時の構造を示す断面図。
【図５】  図１におけるタイヤの枢支支持構造とタイヤロック機構部のレバーを保持する立上り部の下部の固定構造を示す拡大斜視図（写真）。
【図６】  タイヤロック機構部のタイヤロック状態を示す斜視図。
【図７】  タイヤロック機構部におけるタイヤロックフリー状態を示す斜視図。
【図８】  タイヤロック機構部におけるロックの中間状態を示す斜視図。
【図９】  従来車イス等に使用されているタイヤロック機構部を示す図、（ａ）はロック状態（ｂ）はフリー状態、これ等はいずれもレバー機構であって構造複雑である。
【図１０】  図１における挟持機構部を示す拡大斜視図（写真）。
【図１１】  挟持機構部の構造とガイド柱体及び下部フレームの挟持構造やガイド柱体の下端の固定構造を示す拡大斜視図。
【図１２】  下端を固定されるガイド柱体の下部フレームへの枢支及びスラスト保持構造を示す拡大斜視図。
【図１３】  挟持機構部のタング状板部のロック板への係着状態を示す拡大側面図（写真）。
【図１４】  挟持機構部のタング状板部のロック板への係着状態を示す拡大底面図（写真）。
【図１５】  背当て用構造体の全体構造を示す斜視図（写真）。
【図１６】  背当て用構造体のスティの部分を安全に保持する回動係着部や作動用連結具の構造を示す斜視図（写真）。
【図１７】  背当て用構造体の回動係着部のスプリング保持構造を示す部分拡大斜視図（写真）。
【図１８】  背当て用構造体の着脱部の構造を示す部分背面図（図１４のＡ矢視図）。
【図１９】  背当て用構造体の着脱構造の一部である差し込み用構造体支持具の構造を示す側面図（図１４のＢ矢視図）。
【図２０】  背当て用構造体における回動係着具や作動用連結具を示す側面図（図１４のＣ矢視図）。
【図２１】  介護用移乗移動具におけるタイヤの離脱状態を示す斜視図。
【図２２】  ガイド柱体や摺動柱体の収納時における途中の回動状態を示す側面図。
【図２３】  本考案の介護用移乗移動具の収納状態を示す斜視図。
【考案を実施するための形態】
【０００７】  以下、本考案の介護用移乗移動具の実施の形態を図面を参照して詳述する。
【０００８】  まず、図１乃至図３により本考案の介護用移乗移動具１００の全体構造を説明する。
介護用移乗移動具１００は大別して次の物から構成される。まず、地表面に接するキャスター１１ａを隅部に配置する２本の左右の下部フレーム３，３と、下部フレーム３の略中間位置から立ち上がるガイド柱体４と、ガイド柱体４に摺動自在に保持されている摺動柱体５と、左右の摺動柱体５，５間に介設される上部フレーム６と、上部フレーム６の略中間部に配置され摺動柱体５を上下動して使用する被介護人の座接位置を調整するための摺動柱体上下動具７と、上部フレーム６の左右に固定される把持体８，８と、摺動柱体５に取り外し可能に後端側を枢支連結保持されると共に左右方向に開口移動する枠体状の座接用サイドフレーム９と、この下端側に片持ち支持され被介護人が座接するためのクッション板１０と、ガイド柱体４に取り外し可能に枢支され地表面に接するべく配置されるタイヤ１１と、座接用サイドフレーム９の後端側に取り外し可能に連結され被介護人の背面を保持する背当て板１２ａを有する背当て用構造体１２と、その下端をタイヤ１１の枢支軸に固定すると共に傾斜して配置され上部にタイヤ１１をロックするタイヤロック機構部１３と、下部フレーム３とガイド柱体４を挟持しガイド柱体４の下端を固定しこれを下部フレーム３側に枢支及びスラスト支持すると共に下部フレーム３の下端面に沿って伸延するタング状板部１ａを有する挟持機構部１と、下部フレーム３の下端に摺動可能に固定されタング状板部１ａを挿脱可能に支持し前端側にタング状板部１ａの脱移動を容易にするための傾斜面２ａを形成するロック板２等とから構成される。
【０００９】  図６にはタイヤ１１のガイド柱体４への枢支機構やこれに下端側を連結しているタイヤロック機構部１３の立上り部１３ａが示されている。
【００１０】  タイヤロック機構部１３は前記の立上り部１３ａにスライド自在に支持され下部にタイヤ１１の外面に押圧する押圧部１３ｂを有するレバー１３ｃとレバー１３ｃの上部に取り付けられているハンドル１３ｄ等によりなるこのハンドル１３ｄを回動するだけでタイヤ１１に押圧部１３ｂが押圧されタイヤが確実にロックされる。一方、ハンドル１３ｄを逆方向に回動すると図７に示すようにタイヤロックが解除される。
また、図８はハンドル１３ｄの操作の途中工程を示すものである。
以上のようにタイヤロック機構部１３はハンドル１３ｄの回動動作によって単一のレバー１３ｃがタイヤ１１の外面に押圧し確実にロックが行われる。
【００１１】  図１０には本考案における重要機構である挟持機構部１やタング状板部１ａや傾斜面２ａを有するロック板２が示され、かつ挟持機構部１の下部フレーム３への挟持状態やガイド柱体４の下端の挟持機構部１への固定構造が示されている。
また、図１１や図１２には挟持機構部１の挟持構造やスラスト保持構造や下部フレーム３への枢支構造が示されている。
【００１２】  図１３及び図１４には挟持機構部１のタング状板部１ａとロック板２との係合状態が示されている。このロック板２を下部フレーム３の下面に沿って移動させることによりタング状板部１ａとの係合が解除され挟持機構部１に固定されているガイド柱体４が下部フレーム３に対して傾斜面２ａの補助を受けて回動出来る状態となる。逆にタング状板部１ａとロック板２との係着によりガイド柱体４等が下部フレーム３に強固に固定されることになる。
【００１３】  次に、図１５乃至図２０により背当て用構造体１２の構造を説明する。
背当て用構造体１２は前記のように図１等に示した介護用移乗移動具１００の背当てに相当するものである。
本考案の介護用移乗移動具１００の背当て用構造体１２は、主構造としては背当て板１２ａとスティ１２ｂとスティ１２ｂの前端に形成されている差し込み用構造体１２ｃと差し込み用構造体支持具１２ｄと回動係着具１２ｅとこれを作動する作動用連結具１２ｆ等とから構成されている。以下、これ等の構造について順次説明する。
【００１４】  背当て板１２ａは被介護人の背面に当接して被介護人を安定保持するものであり、図１５に示すようなものが一例として採用されるがその材質や形状については図示のものに限定するものではなく、各種のものが適用される。構造としてはソフトのものが好ましいが勿論それに限定するものではない。
【００１５】  スティ１２ｂは図１５に示されているように細長な板体からなり、上下２本のものからなりその夫々の後端部は背当て板１２ａに差し込み固定され、その前端部には後に説明する差し込み用構造体１２ｃが一体的に形成されている。
【００１６】  差し込み用構造体１２ｃは座接用サイドフレーム９に先端部を当接しているスティ１２ｂの前端板に固定される差し込み部からなり、差し込み部には貫通孔が形成されている。
【００１７】  差し込み用構造体支持具１２ｄは座接用サイドフレーム９の側面に固定される板材部とこの先端から立ち上がる挿入棒体とからなる。
【００１８】  以上の構造の差し込み用構造体１２ｃの貫通孔を差し込み用構造体支持具１２ｄの挿入棒体に差し込むことにより差し込み用構造体１２ｃは差し込み用構造体支持具１２ｄに挿入されスティ１２ｂや背当て板１２ａを保持することになる。従って、差し込み用構造体１２ｃを挿入棒体から引き上げることによりスティ１２ｂや背当て板１２ａは取り外すことが出来る。よって、別の背当て板１２ａ等を有するものと交換することが出来る。また、背当て板１２ａが不要の場合にも適用される。
【００１９】  回動係着具１２ｅはスティ１２ｂに着脱可能に係着して背当て板１２ａを安定支持するためのものであり、上下に配設されるものからなる。また、作動用連結具１２ｆは回動係着具１２ｅを回動して回動係着具１２ｅとスティ１２ｂとの係脱を行うためのものである。その構造としては座接用サイドフレーム９に基端側を枢支されてる片持支持される回動係着具１２ｅの係着板からなり、係着板の先端側にはスティ１２ｂに係着する凹部が形成されている。この凹部をスティ１２ｂに嵌め込むことによりスティ１２ｂが固定される。
【００２０】  作動用連結具１２ｆは上下の係着板を連結する細長な板体からなる。この板体を手動で作動することにより回動係着具１２ｅの係着板がスティ１２ｂから開放され、逆にこの板体を作動することにより係着板がスティ１２ｂに係着することになる。なお、図示のように係着板には回動を容易にするためにスプリング１２ｇが設けられている。
【００２１】  図２０はタイヤ１１を下部フレーム３から取り外した状態を示すものであり、タイヤ１１側に固定されているタイヤロック機構部１３も同時に外される。勿論、タイヤ１１側からタイヤロック機構部１３を取り外す事も出来る。
【００２２】  図２１は挟持機構部１を下部フレーム３側から開放し、ガイド柱体４等の上部側の機構部を挟持機構部１を中心として回動している状態を示すものである。この図では座接用サイドフレーム９や背当て用構造体１２も取り外されている。
【００２３】  図２２はガイド柱体４や摺動柱体５や上部フレーム６や摺動柱体上下動具７等を下部フレーム３側に水平に倒した状態を示すものでこの状態で図略の箱体内に収納されることになる。
【００２４】  本考案の介護用移乗移動具１００は以上の説明の内容からなるがこれに限定するものではなく、同一技術的範疇のものが適用されることは勿論である。
【産業上の利用可能性】
【００２５】  本考案は自由歩行の不自由な被介護人の移乗や移動を容易にするものであり、挟持機構部１により安定的に、かつ確実に保持され、タイヤ１１やキャスター１１ａにより自由，円滑に走行可能であり、座接用サイドフレーム９の開放により移乗が容易に出来、背当て用構造体１２により被介護人は安定支持される。
本考案は以上のように他の車イスや移動具等にはない構造体からなり、安全，円滑，安全性等の優れた内容を有するものであり、被介護人にとっては極めて便利なものであり、極めて広い範囲に適用され、その利用範囲は極めて広い。
【符号の説明】
【００２６】１      挟持機構部
１ａ    タング状板部
２      ロック板
２ａ    傾斜面
３      下部フレーム
４      ガイド柱体
５      摺動柱体
６      上部フレーム
７      摺動柱体上下動具
８      把持部
９      座接用サイドフレーム
１０    クッション板
１１    タイヤ
１１ａ  キャスター
１２    背当て用構造体
１２ａ  背当て板
１２ｂ  スティ
１２ｃ  差し込み用構造体
１２ｄ  差し込み用構造体支持具
１２ｅ  回動係着具
１２ｆ  作動用連結具
１２ｇ  スプリング
１３    タイヤロック機構部
１３ａ  立上り部
１３ｂ  押圧部
１３ｃ  レバー
１３ｄ  ハンドル
１４    伸縮自在カバー
１００  介護用移乗移動具
【図１】
0003211189.tif 000003
【図２】
0003211189.tif 000004
【図３】
0003211189.tif 000005
【図４】
0003211189.tif 000006
【図５】
0003211189.tif 000007
【図６】
0003211189.tif 000008
【図７】
0003211189.tif 000009
【図８】
0003211189.tif 000010
【図９】
0003211189.tif 000011
【図１０】
0003211189.tif 000012
【図１１】
0003211189.tif 000013
【図１２】
0003211189.tif 000014
【図１３】
0003211189.tif 000015
【図１４】
0003211189.tif 000016
【図１５】
0003211189.tif 000017
【図１６】
0003211189.tif 000018
【図１７】
0003211189.tif 000019
【図１８】
0003211189.tif 000020
【図１９】
0003211189.tif 000021
【図２０】
0003211189.tif 000022
【図２１】
0003211189.tif 000023
【図２２】
0003211189.tif 000024
【図２３】
0003211189.tif 000025